【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
両面に配線が形成されたフレキシブルプリント基板の当該配線の所定の箇所に検査ピンを接触させると共に、選択された２本の検査ピンの間に、前記配線を介して電圧を印加して前記フレキシブルプリント基板の導通または絶縁の良否を検査するプリント基板検査装置であって、
板状の絶縁材料で形成され、かつ上面に前記フレキシブルプリント基板に形成された位置決め用の孔に挿入される第１のガイドピンが取り付けられた、前記フレキシブルプリント基板を載置するトレイと、
前記フレキシブルプリント基板の上面の配線の検査を行う上検査治具および下面の配線の検査を行う下検査治具と、
前記下検査治具の上方に配置された前記上検査治具を下降させ、かつ前記トレイに載置された状態の前記フレキシブルプリント基板を前記上検査治具および下検査治具で挟むことにより、前記上検査治具の検査ピンおよび下検査治具の検査ピンと、前記フレキシブルプリント基板の配線とを、それぞれ接触させる昇降ユニットと、
前記上検査治具および下検査治具の選択された２本の検査ピンの間に電圧を印加すると共に、これらの間の抵抗値を計測する検査ユニットと、
前記昇降ユニットの動作を制御する制御ユニットと、を備え、
前記トレイには開口部が設けられ、前記下検査治具の検査ピンは、当該開口部を通して前記フレキシブルプリント基板の下面の配線に接触することを特徴とするプリント基板検査装置。
【請求項２】
前記下検査治具の上面には、前記フレキシブルプリント基板およびトレイのそれぞれに形成された位置決め用の孔に挿入される第２のガイドピンが取り付けられている、請求項１に記載のプリント基板検査装置。
【請求項３】
前記トレイに載置されたフレキシブルプリント基板を水平方向に搬送する一対の基板搬送ユニットを備え、
当該基板搬送ユニットは、
前記トレイの端部が載置されると共に、当該トレイに形成された位置決め用の孔に挿入される第３のガイドピンが上面に取り付けられたトレイ台と、
当該トレイ台とで前記トレイを把持するチャックと、を備えている、請求項１または２に記載のプリント基板検査装置。
【請求項４】
前記基板搬送ユニットは、前記トレイ台が上下方向に移動できるように構成されており、
検査が終了した後、前記トレイ台に載置されたトレイを上昇させ、前記下検査治具の第２のガイドピンを、前記フレキシブルプリント基板の位置決め用の孔から外す、請求項３に記載のプリント基板検査装置。
【請求項５】
前記基板搬送ユニットは、
前記トレイ台に載置されたトレイを搬送する際には、前記トレイ台を前記下検査治具に接触しない位置まで上昇させ、
検査を行う際には、前記トレイ台を前記トレイが前記下検査治具に載置される位置まで下降させる、請求項３または４に記載のプリント基板検査装置。
【請求項６】
前記基板搬送ユニットは、前記トレイが前記下検査治具に載置されたとき、前記チャックによる前記トレイの把持を開放する、請求項３ないし５のいずれかに記載のプリント基板検査装置。
【請求項７】
前記一対の基板搬送ユニットの移動経路に沿って設置された一対のスライドテーブルの間に、前記トレイに載置されたフレキシブルプリント基板の方向を反転させる基板反転ユニットが設置され、
当該基板反転ユニットは、
前記トレイを載置するテーブルと、
当該テーブルを回転させる回転手段と、
当該テーブルを上下方向に移動させる第１の昇降手段と、で構成されていることを特徴とする、請求項３ないし６のいずれかに記載のプリント基板検査装置。
【請求項８】
前記一対の基板搬送ユニットの移動経路に沿って設置された一対のスライドテーブルの間に、前記フレキシブルプリント基板に形成された複数の配線パターンのうち導通不良または絶縁不良と判定された配線パターンに識別用のマークを付与する識別マーク付与手段が設置されている、請求項３ないし７のいずれかに記載のプリント基板検査装置。
【請求項９】
前記識別マーク付与手段はパンチングユニットで構成され、
当該パンチングユニットは、
前記フレキシブルプリント基板を挟むように互いに衝突して当該フレキシブルプリント基板に孔を開ける上パンチャーおよび下パンチャーと、
当該上パンチャーおよび下パンチャーを、前記基板搬送ユニットによる搬送方向と直交する方向に移動させるスライダーと、
当該上パンチャーおよび下パンチャーのそれぞれを、上下方向に移動させる第２および第３の昇降手段と、を備えた、請求項８に記載のプリント基板検査装置。
【手続補正２】
【補正対象書類名】明細書
【補正対象項目名】００１３
【補正方法】変更
【補正の内容】
【００１３】
本発明は上述の問題点に鑑みてなされたもので、フレキシブルプリント基板を吸着したり引っ張ったりする必要がなく、しかもフレキシブルプリント基板の両面を同時に検査できる検査装置を提供することを目的とする。
【手続補正３】
【補正対象書類名】明細書
【補正対象項目名】００１４
【補正方法】変更
【補正の内容】
【００１４】
上記目的を達成するため、本発明にかかるプリント基板検査装置は、両面に配線が形成されたフレキシブルプリント基板の当該配線の所定の箇所に検査ピンを接触させると共に、選択された２本の検査ピンの間に、前記配線を介して電圧を印加して前記フレキシブルプリント基板の導通または絶縁の良否を検査するプリント基板検査装置であって、
板状の絶縁材料で形成され、かつ上面に前記フレキシブルプリント基板に形成された位置決め用の孔に挿入される第１のガイドピンが取り付けられた、前記フレキシブルプリント基板を載置するトレイと、
前記フレキシブルプリント基板の上面の配線の検査を行う上検査治具および下面の配線の検査を行う下検査治具と、
前記下検査治具の上方に配置された前記上検査治具を下降させ、かつ前記トレイに載置された状態の前記フレキシブルプリント基板を前記上検査治具および下検査治具で挟むことにより、前記上検査治具の検査ピンおよび下検査治具の検査ピンと、前記フレキシブルプリント基板の配線とを、それぞれ接触させる昇降ユニットと、
前記上検査治具および下検査治具の選択された２本の検査ピンの間に電圧を印加すると共に、これらの間の抵抗値を計測する検査ユニットと、
前記昇降ユニットの動作を制御する制御ユニットと、を備え、
前記トレイには開口部が設けられ、前記下検査治具の検査ピンは、当該開口部を通して前記フレキシブルプリント基板の下面の配線に接触することを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
ここで、前記下検査治具の上面には、前記フレキシブルプリント基板およびトレイのそれぞれに形成された位置決め用の孔に挿入される第２のガイドピンが取り付けられていることが好ましい。
【手続補正６】
【補正対象書類名】明細書
【補正対象項目名】００１７
【補正方法】変更
【補正の内容】
【００１７】
本発明にかかるプリント基板検査装置は、前記トレイに載置されたフレキシブルプリント基板を水平方向に搬送する一対の基板搬送ユニットを備え、当該基板搬送ユニットは、前記トレイの端部が載置されると共に、当該トレイに形成された位置決め用の孔に挿入される第３のガイドピンが上面に取り付けられたトレイ台と、当該トレイ台とで前記トレイを把持するチャックと、を備えていることが好ましい。
【手続補正７】
【補正対象書類名】明細書
【補正対象項目名】００１８
【補正方法】変更
【補正の内容】
【００１８】
ここで、前記基板搬送ユニットは、前記トレイ台が上下方向に移動できるように構成されており、検査が終了した後、前記トレイ台に載置されたトレイを上昇させ、前記下検査治具の第２のガイドピンを、前記フレキシブルプリント基板の位置決め用の孔から外すことが好ましい。同様に、前記基板搬送ユニットは、前記トレイ台に載置されたトレイを搬送する際には、前記トレイ台を前記下検査治具に接触しない位置まで上昇させ、検査を行う際には、前記トレイ台を前記トレイが前記下検査治具に載置される位置まで下降させることが好ましい。
【手続補正８】
【補正対象書類名】明細書
【補正対象項目名】００２０
【補正方法】変更
【補正の内容】
【００２０】
本発明にかかるプリント基板検査装置において、前記一対の基板搬送ユニットの移動経路に沿って設置された一対のスライドテーブルの間に、前記トレイに載置されたフレキシブルプリント基板の方向を反転させる基板反転ユニットが設置され、当該基板反転ユニットは、前記トレイを載置するテーブルと、当該テーブルを回転させる回転手段と、当該テーブルを上下方向に移動させる第１の昇降手段と、で構成されていることが好ましい。
【手続補正９】
【補正対象書類名】明細書
【補正対象項目名】００２１
【補正方法】変更
【補正の内容】
【００２１】
また本発明にかかるプリント基板検査装置において、前記一対の基板搬送ユニットの移動経路に沿って設置された一対のスライドテーブルの間に、前記フレキシブルプリント基板に形成された複数の配線パターンのうち導通不良または絶縁不良と判定された配線パターンに識別用のマークを付与する識別マーク付与手段が設置されていることが好ましい。
【手続補正１０】
【補正対象書類名】明細書
【補正対象項目名】００２２
【補正方法】変更
【補正の内容】
【００２２】
ここで、前記識別マーク付与手段はパンチングユニットで構成され、当該パンチングユニットは、前記フレキシブルプリント基板を挟むように互いに衝突して当該フレキシブルプリント基板に孔を開ける上パンチャーおよび下パンチャーと、当該上パンチャーおよび下パンチャーを、前記基板搬送ユニットによる搬送方向と直交する方向に移動させるスライダーと、当該上パンチャーおよび下パンチャーのそれぞれを、上下方向に移動させる第２および第３の昇降手段と、を備えていることが好ましい。
【手続補正１１】
【補正対象書類名】明細書
【補正対象項目名】００２３
【補正方法】変更
【補正の内容】
【００２３】
本発明の検査装置を用いれば、フレキシブルプリント基板をトレイに載置した状態で搬送および検査が行われ、フレキシブルプリント基板のそりやねじれを考慮する必要がないため、検査装置の構造が単純になり、結果として装置を安価に製造できる。また、フレキシブルプリント基板の両面を同時に検査できるため、検査に必要な時間を短縮できる。
【手続補正１２】
【補正対象書類名】明細書
【補正対象項目名】００２４
【補正方法】変更
【補正の内容】
【００２４】
【図１】本発明の実施の形態１にかかるプリント基板検査装置の主要構成部材の正面図である。
【図２】図１のＸ−Ｘ線から下方を見た、実施の形態１にかかるプリント基板検査装置の平面図である。
【図３】実施の形態１にかかるプリント基板検査装置の電気系の構成を示すブロック図である。
【図４】トレイおよびトレイに載置されたフレキシブルプリント基板の一例を示す平面図である。
【図５】トレイに載置されたフレキシブルプリント基板２の一部を、下方から見上げた状態を示す図である。
【図６】実施の形態１の上検査治具の要部断面図である。
【図７】実施の形態１の基板搬送ユニットの正面図である。
【図８】同基板搬送ユニットの平面図である。
【図９】同基板搬送ユニットの側面図である。
【図１０】プリント基板検査装置の動作を説明するフローチャートである。
【図１１】上検査治具と下検査治具の動作を説明する要部正面図である。
【図１２】実施の形態２にかかるプリント基板検査装置の基板反転ユニットとパンチングユニットの構成を示す平面図である。